(57)【要約】【課題】複数のアクチュエータを制御するにあたり、指令に沿った駆動にならないアクチュエータに補正値を与えておき、指令が入力されると補正値により指令に沿った駆動を出力することで、エルロンなどの可動する翼の動きを精確に制御することができる複数のアクチュエータを用いて同一動翼を制御する場合の同期方法を提供する。【解決手段】本発明は、模型飛行機の翼２を制御する複数のアクチュエータ３を同期させる方法において、翼２を制御するｎ個のアクチュエータＭｎの駆動を同調させるにあたり、アクチュエータＭａを基準としアクチュエータＭｂを同期対象とし、アクチュエータＭａ，Ｍｂに基準指令値を含む複数の指令値を入力して駆動させて電流の最小値Ａｍｉｎを探索し、最小値Ａｍｉｎにおけるアクチュエータに対する指令値と基準指令値の差分を求め、差分をアクチュエータＭａの駆動と同期するためのアクチュエータＭｂの補正値αとする。【選択図】図１
2020108705.tif 000002
【特許請求の範囲】
【請求項１】
模型飛行機に複数搭載され且つ前記模型飛行機の可動する翼を制御するアクチュエータを同期させる方法において、
前記翼を制御するｎ個のアクチュエータＭｎの駆動を同調させるにあたり、
前記アクチュエータＭｎのうち、ａ番目のアクチュエータＭａを基準とし、ｂ番目のアクチュエータＭｂを同期対象とし、
前記アクチュエータに対して、基準の指令値を含む複数の指令値を入力して、二つのアクチュエータＭａとアクチュエータＭｂを駆動させた際の電流値Ａが最小となるＡｍｉｎを探索し、
得られた電流の最小値Ａｍｉｎにおける前記アクチュエータに対する指令値と、前記基準の指令値との差分を求め、
求めた差分を、前記アクチュエータＭａの駆動と同期するための前記アクチュエータＭｂの補正値αとする
ことを特徴とする複数のアクチュエータを用いて同一動翼を制御する場合の同期方法。
【請求項２】
前記アクチュエータＭｂは、前記補正値αが記録可能な構成とされていることを特徴とする請求項１に記載の複数のアクチュエータを用いて同一動翼を制御する場合の同期方法。
【請求項３】
前記複数のアクチュエータＭｎの駆動を同調させるにあたり、以下のステップ（Ｓ１）〜（Ｓ１２）の手順に従って行うことを特徴とする請求項１又は２に記載の複数のアクチュエータを用いて同一動翼を制御する場合の同期方法。
（Ｓ１）：アクチュエータの出力軸の回転可能範囲を所定の角度ごとに区分ける作業を、ｎ個全てのアクチュエータＭｎについて行う。
（Ｓ２）：アクチュエータＭｎのうち、ａ番目のアクチュエータＭａを基準のアクチュエータとする。
（Ｓ３）：（Ｓ１）で区分けしたもののうち一つの区分けにおいて、基準のアクチュエータＭａに対して、出力軸の角度を任意の位置に制御する指令値θを入力する。
（Ｓ４）:（Ｓ３）で入力した指令値θを、基準の角度とする。
（Ｓ５）：複数搭載されているアクチュエータＭｎのうち、ｂ番目のアクチュエータＭｂを同期対象とする。
（Ｓ６）：アクチュエータＭａとアクチュエータＭｂに対して、（Ｓ４）で決定した指令値θを入力して駆動させる。
（Ｓ７）：指令値θをアクチュエータＭａに入力し、指令値（θ＋ｘ）と指令値（θ−ｘ）の間の値をアクチュエータＭｂに入力し、指令値（θ±ｘ）の範囲で駆動させる。
（Ｓ８）：（Ｓ７）で指令値（θ±ｘ）の範囲内で駆動しているとき、アクチュエータＭａとアクチュエータＭｂに流れる電流値Ａを測定し、電流値の最小値Ａｍｉｎを探索する。
（Ｓ９）：（Ｓ８）で探索した電流値の最小値Ａｍｉｎにおける指令値θ’と、基準の指令値θとの差分ｙを求め、その差分ｙを、アクチュエータＭａの駆動と同期するためのアクチュエータＭｂの補正値αとする。ただし、ｘ≧ｙである。
（Ｓ１０）：（Ｓ９）で決定した補正値αをアクチュエータＭｂに記録する。
（Ｓ１１）: 同期対象のアクチュエータＭｂにて、所定の角度ごとに区分けをした全てにおいて、（Ｓ６）〜（Ｓ１０）の手順を実施して、それぞれの区分けにおける補正値αを求めて、アクチュエータＭｂに記録する。
（Ｓ１２）：（Ｓ５）に戻って、複数のアクチュエータＭｎから、同期対象となるアクチュエータＭを新たに選び出して、（Ｓ１１）までの手順を、同期対象となる全てのアクチュエータＭｎに対して実施して、補正値αを所定の角度ごとに区分けをした全てにおいて求めて、アクチュエータＭｎのそれぞれに記録する。
【発明の詳細な説明】
【技術分野】
【０００１】
本発明は、無線通信で遠隔操縦を行う模型飛行機において、複数搭載され且つエルロンなどの可動する翼の動きを制御するアクチュエータ（サーボモータ）を同期させる技術に関する。
【背景技術】
【０００２】
一般に、無線通信で遠隔操縦を行う模型飛行機を飛行させている時には、地上から送信機を介して指令を出して、エンジン・モータなどの駆動源の操作や、エルロン（補助翼）、ラダ−（方向舵）、エレベーター（昇降舵）、フラップ（高揚力装置）などの可動する翼を操作することにより、推進・上昇・下降・旋回などの機体の操縦を行っている。
可動する翼は、アクチュエータ（サーボモータ）によって、動きが制御されている。例えば、特許文献１の図１を参照すると、垂直尾翼に機体の左右方向の動きを制御するためのラダーが設けられていて、機体にアクチュエータが１個の取り付けられている。そのラダーとアクチュエータは、リンケージ部材を介して接続されている。
【０００３】
また、同文献の図２を参照すると、水平尾翼には、機体の上下方向の動きを制御するためのエレベーターが設けられていて、アクチュエータが１個の取り付けられている。そのエレベーターとアクチュエータは、リンケージ部材を介して接続されている。
このように、一般的な模型飛行機においては、ラダー、エレベーター、エルロン、フラップなどの可動する翼は、１個のアクチュエータにより制御されていることが多い。
【先行技術文献】
【特許文献】
【０００４】
【特許文献１】特開２０１４−２２３１５８号公報
【発明の概要】
【発明が解決しようとする課題】
【０００５】
ところで、無線通信で遠隔操縦を行う（ラジオ・コントロール）模型飛行機については、機体の種類が様々存在する。その中においても、全長（機体）や全幅（主翼部）のそれぞれが１ｍを超えるような大型の機体がある。それ故、大型の模型飛行機は、左右の主翼、水平尾翼、垂直尾翼なども大きく長いものとなっている。また、エルロンなどの可動する翼も大きく長いものとなっている。
【０００６】
その可動する翼が大きく長いものになると、１個のアクチュエータで可動する翼の動きを制御することがむずかしくなるので、複数のアクチュエータにより可動する翼の動きを制御するようになっている。
しかしながら、複数のアクチュエータを同時に駆動させても、同じ量駆動するとは限らない。すなわち、複数のアクチュエータに同じ角度の指令を入力しても、アクチュエータの出カ軸は全て同じ角度になるとは限らない。
【０００７】
例えば、エルロンを３個のアクチュエータで制御する場合、傾きが１０°となる指令を３個のアクチュエータに入力しても、そのうち１個のアクチュエータは１０°となっても、その他のアクチュエータは、１１°や９°といったように、指令に沿った駆動にならないことがある。
その理由として、例えば、アクチュエータには個体差があるため、複数備えた場合、それらのアクチュエータの出力軸がバラバラに駆動する。これは、アクチュエータに内蔵された角度センサーのバラツキに起因するものである。
【０００８】
さらには、上述したアクチュエータのバラツキに加えて、エルロンなどを動かすリンケージ部材の精度（アクチュエータと可動する翼の組み付けの精度）の問題もある。そのため、例え、アクチュエータが指示通りに動作したとしても、動翼としては異なる角度に動作してしまっている場合があり得る。
このように、指令に対して、複数のアクチュエータがそれぞれ異なる駆動をする（１０°に対して１１°や９°など異なる角度になる）と、互いに牽制し合って、アクチュエータが損傷することとなる。またこれにより、エルロンなど可動する翼が捻れてしまい、飛行において不具合が生じることとなる。
【０００９】
すなわち、複数のアクチュエータの駆動を同調させる制御が必要となってくる。
そこで、本発明は、上記問題点に鑑み、複数のアクチュエータを制御するにあたり、入力された指令に沿った駆動にならないアクチュエータに対して、補正値を与えておき、指令が入力されると補正値により指令に沿った駆動を出力することで、エルロンなどの可動する翼（同一動翼）の動きを精確に制御することができる複数のアクチュエータを用いて同一動翼を制御する場合の同期方法、言い換えれば、模型飛行機に複数搭載されたアクチュエータの同期方法を提供することを目的とする。
【課題を解決するための手段】
【００１０】
上記の目的を達成するため、本発明においては以下の技術的手段を講じた。
本発明にかかる複数のアクチュエータを用いて同一動翼を制御する場合の同期方法は、模型飛行機に複数搭載され且つ前記模型飛行機の可動する翼を制御するアクチュエータを同期させる方法において、前記翼を制御するｎ個のアクチュエータＭｎの駆動を同調させるにあたり、前記アクチュエータＭｎのうち、ａ番目のアクチュエータＭａを基準とし、ｂ番目のアクチュエータＭｂを同期対象とし、前記アクチュエータに対して、基準の指令値を含む複数の指令値を入力して、二つのアクチュエータＭａとアクチュエータＭｂを駆動させた際の電流値Ａが最小となるＡｍｉｎを探索し、得られた電流の最小値Ａｍｉｎにおける前記アクチュエータに対する指令値と、前記基準の指令値との差分を求め、求めた差分を、前記アクチュエータＭａの駆動と同期するための前記アクチュエータＭｂの補正値αとすることを特徴とする。
【００１１】
好ましくは、前記アクチュエータＭｂは、前記補正値αが記録可能な構成とされているとよい。
好ましくは、前記複数のアクチュエータＭｎの駆動を同調させるにあたり、以下のステップ（Ｓ１）〜（Ｓ１２）の手順に従って行うとよい。
（Ｓ１）：アクチュエータの出力軸の回転可能範囲を所定の角度ごとに区分ける作業を、ｎ個全てのアクチュエータＭｎについて行う。
【００１２】
（Ｓ２）：アクチュエータＭｎのうち、ａ番目のアクチュエータＭａを基準のアクチュエータとする。
（Ｓ３）：（Ｓ１）で区分けしたもののうち一つの区分けにおいて、基準のアクチュエータＭａに対して、出力軸の角度を任意の位置に制御する指令値θを入力する。
（Ｓ４）:（Ｓ３）で入力した指令値θを、基準の角度とする。
【００１３】
（Ｓ５）：複数搭載されているアクチュエータＭｎのうち、ｂ番目のアクチュエータＭｂを同期対象とする。
（Ｓ６）：アクチュエータＭａとアクチュエータＭｂに対して、（Ｓ４）で決定した指令値θを入力して駆動させる。
（Ｓ７）：指令値θをアクチュエータＭａに入力し、指令値（θ＋ｘ）と指令値（θ−ｘ）の間の値をアクチュエータＭｂに入力し、指令値（θ±ｘ）の範囲で駆動させる。
【００１４】
（Ｓ８）：（Ｓ７）で指令値（θ±ｘ）の範囲内で駆動しているとき、アクチュエータＭａとアクチュエータＭｂに流れる電流値Ａを測定し、電流値の最小値Ａｍｉｎを探索する。
（Ｓ９）：（Ｓ８）で探索した電流値の最小値Ａｍｉｎにおける指令値θ’と、基準の指令値θとの差分ｙを求め、その差分ｙを、アクチュエータＭａの駆動と同期するためのアクチュエータＭｂの補正値αとする。ただし、ｘ≧ｙである。
【００１５】
（Ｓ１０）：（Ｓ９）で決定した補正値αをアクチュエータＭｂに記録する。
（Ｓ１１）: 同期対象のアクチュエータＭｂにて、所定の角度ごとに区分けをした全てにおいて、（Ｓ６）〜（Ｓ１０）の手順を実施して、それぞれの区分けにおける補正値αを求めて、アクチュエータＭｂに記録する。
（Ｓ１２）：（Ｓ５）に戻って、複数のアクチュエータＭｎから、同期対象となるアクチュエータＭを新たに選び出して、（Ｓ１１）までの手順を、同期対象となる全てのアクチュエータＭｎに対して実施して、補正値αを所定の角度ごとに区分けをした全てにおいて求めて、アクチュエータＭｎのそれぞれに記録する。
【発明の効果】
【００１６】
本発明によれば、複数のアクチュエータを制御するにあたり、入力された指令に沿った駆動にならないアクチュエータに対して、補正値を与えておき、指令が入力されると補正値により指令に沿った駆動を出力することで、エルロンやラダーなどの可動する翼（同一動翼）の動きを精確に制御することができる。
【図面の簡単な説明】
【００１７】
【図１】模型飛行機に備えられたエルロン（可動する翼）の制御系統を概略を模式的に示した図である。
【図２】アクチュエータ（サーボモータ）に対する補正値を求める手順を示したグラフである。
【発明を実施するための形態】
【００１８】
以下、本発明にかかる同期方法（複数のアクチュエータを用いて同一動翼を制御する場合の同期方法）の実施形態を、図を参照して説明する。
なお、以下に説明する実施形態は、本発明を具体化した一例であって、その具体例をもって本発明の構成を限定するものではない。また、図面に関して、見やすくするため、模型飛行機の構成部品の一部を省略して描いている。また、翼の前後及び左右等の方向については、図１に示す通りである。
【００１９】
まず、模型飛行機の構成について説明する。
機体（胴体）は、前後方向（長手方向）に長く、内部は空洞となっている。その内部には、機体を制御する制御機構（受信機、アクチュエータ３（サーボモータ）など）、バッテリ又は燃料タンクなどが収容されている。また、プロペラ機タイプの場合、機体の機首側に、モータ又はエンジンなどの駆動部が取り付けられている。
【００２０】
主翼１は、機体の前後方向中央に、左右一対取り付けられている。ジェット機タイプの場合、主翼１に、駆動源（モータ又はエンジン）が取り付けられている。その主翼１には、エルロン２やフラップが設けられている。
エルロン２は、補助翼とも呼ばれ、主翼１の後部外側に備えられていて、機体の前後方向軸心回りの動き（ローリング、傾き）を制御するための翼である。フラップは、高揚力装置とも呼ばれ、主翼１の後部内側に備えられていて、機体の揚力を発生させるための翼である。
【００２１】
垂直尾翼は、機体の前後方向後側に、上方に向かって突設されている。垂直尾翼の後側に、ラダ−が設けられている。ラダ−は、方向舵とも呼ばれ、垂直尾翼に備えられていて、機体の上下方向軸心回りの動き（ヨーイング、左右方向の動き）を制御するための舵である。
水平尾翼は、機体の前後方向後側に、左右一対取り付けられている。水平尾翼の後側に、エレベーターが設けられている。エレベーターは、昇降舵とも呼ばれ、水平尾翼に備えられていて、機体の左右方向軸心回りの動き（ピッチング、機首の上下方向の動き）を制御するための舵である。
【００２２】
エルロン２（補助翼）、ラダ−（方向舵）、エレベーター（昇降舵）、フラップ（高揚力装置）などの可動する翼（同一動翼）が動きが、アクチュエータ３（サーボモータ）によって制御され、上昇・下降・旋回などの模型飛行機の操縦が行われる。
例えば、ラジオ・コントロール模型飛行機の動作について、飛行中の機体を左側へ旋回させるとき、垂直尾翼のラダーを左に向け、左側の主翼１のエルロン２を上げると共に右側の主翼１のエルロン２を下げて機体を左へ傾け、水平尾翼のエレベーターを下に向けて機首を上げる動作をすることで、左方向へ旋回する。
【００２３】
なお、飛行機は飛行時浮いた状態であるので、方向を変える場合、エルロン２で機体を傾ける必要がある。機体を傾けただけでは、斜め下方に滑り落ちるような状態になるので、エレベーターで機首を上げる。
ここで、本発明にかかる複数のアクチュエータ３（サーボモータ）を用いて同一動翼を制御する場合の同期方法について、詳細に説明する。
【００２４】
なお、本実施形態においては、エルロン２を制御するアクチュエータ３を例に挙げて説明するが、ラダ−、エレベーター、フラップなどの可動する翼（同一動翼）を制御するアクチュエータ３についても、本発明は適用可能である。
図１は、模型飛行機の主翼１（左主翼）に備えられたエルロン２の制御系統の概略を模式的に示した図であり、下方（裏面）から見上げた図である。
【００２５】
本発明は、模型飛行機に複数搭載され、エルロン２を制御するアクチュエータ３（サーボモータ）を同期する方法であり、所定の角度の間において、任意の角度（位置）に固定することができるように制御されたアクチュエータ３を複数搭載し、その複数のアクチュエータ３の制御角度を同期させ、且つ駆動を同調させることができる同期方法である。
すなわち、エルロン２の動作を一定にするため、複数のアクチュエータ３の動作を同期（同調）させる。
【００２６】
まず、アクチュエータ３（サーボモータ）の構成については、以下の通りである。
本実施形態においては、複数のアクチュエータ３は直列に接続されており、その間に電流計９が接続されている。
通常、アクチュエータ３は角度センサに則り、指示された角度θ（指令値）の位置で止まるように、出カ軸の回転を制御している。
【００２７】
本実施形態では、角度センサのバラツキ（主に角度に対するセンサ値の直線性）を補正するため、出力軸４が回転することができる範囲（制御角度可能範囲）を、所定の間隔（ある程度の細かさ）で区分けし、それぞれの区分けにおいて適切な個別の補正情報（指令値θに対する補正値α）を予めアクチュエータ３に与えておき、角度センサのバラツキを補正できる仕組みを持たせておくこととしている。
【００２８】
本実施形態では、補正値αを複数登録することができるアクチュエータ３を採用している。つまり、本実施形態のアクチュエータ３は、制御装置１１などに接続して、細かな設定データの登録・変更ができるプログラマブルサーボである。
また、アクチュエータ３を調整するときの構成については、以下の通りである。
単一物（例えば、エルロン２）を複数のアクチュエータ３で操作する際、アクチュエータ３のそれぞれにおいて、角度センサにバラツキがある場合、アクチュエータ３全体としては同じように動作しているように見えるが、個々のアクチュエータ３に着目すると、入力された指令値θに対して制御角度が異なる（例えば、θ＝１０°に対して１１°となる）ことがあり、互いに牽制し合う場合が発生することがある。
【００２９】
このように、２個以上のアクチュエータ３が互いに牽制した状態のままでは、いずれかのアクチュエータ３、もしくは、全てのアクチュエータ３が焼損するおそれがある。これを防ぐためには、全てのアクチュエータ３が牽制し合わずに同調して駆動するように、補正する必要がある。
アクチュエータ３の駆動を補正する方法としては、いくつか挙げられるが、本実施形態ではアクチュエータ３の牽制のみに着目している。なお、実際の直線性までは考慮していない。このような場合、まず任意に、基準となるアクチュエータ３を決め、その基準のアクチュエータ３に対して、従属するアクチュエータ３の直線性を合わせることが望ましい。従属するアクチュエータ３の直線性を合わせるためには、アクチュエータ３側の構成を利用して補正する。その際、補正するための基準として、アクチュエータ３が消費する電流を用いる。
【００３０】
理由としては、例えば、２個のアクチュエータ３が互いに牽制している状態では、その２個のアクチュエータ３が消費する電流が増加することとなる。このような状態になると、アクチュエータ３の焼損が発生してしまうおそれがある。つまり、アクチュエータ３の牽制がなくなれば、消費する電流が最小限に落ち着くこととなるので、それを利用する。
本発明の同期方法について、詳細に説明する。
【００３１】
図１に示すように、本実施形態においては、アクチュエータ３は主翼１に３個（ｎ＝３）搭載されていて、左から順に、アクチュエータＭ１、アクチュエータＭ２、アクチュエータＭ３とする。
アクチュエータ３には、出力軸４が設けられていて、その出力軸４にはサーボホーン５が取り付けられている。サーボホーン５の先端には、リンゲージ部材６が取り付けられている。リンゲージ部材６は、一方端側がエルロン２に接続されている。
【００３２】
つまり、エルロン２は、リンゲージ部材６を介して、アクチュエータ３に接続されている。
アクチュエータ３には、電源が供給される電源線７と、指令値θが入力される信号線８が接続されている。なお、入力される指令値θは、デジタル信号であり、アクチュエータ３の全てにおいて同じものとされている。また、信号線８は双方向に通信可能とされている。本実施形態においては、アクチュエータ３にデジタルサーボを採用している。電源線７と信号線８は、電流計９と制御部１０を備える制御装置１１（テストツール）に接続される。
【００３３】
テストツール１１は、本発明の同期方法が内蔵された制御部１０と電流計９を備えている。このテストツール１１は、飛行前に模型飛行機に接続され、アクチュエータ３の調整が実施される。その調整終了後に、テストツール１１は模型飛行機から取り外される。その後、電源線７と信号線８は、機体内の受信機などに接続される。
複数のアクチュエータＭ３（サーボモータＭ３）の駆動を同調させるにあたり、以下のステップ（Ｓ１）〜（Ｓ１２）の手順に従って行う。
【００３４】
（Ｓ１）：アクチュエータ３に設けられている出力軸４の回転可能範囲を、所定の角度ごとに区分けを、３個全てのアクチュエータＭ３において行っておく。
アクチュエータ３の駆動領域（出力軸４の回転可能領域）を所定の間隔（角度）で複数の区分けし、その区分けごとに補正情報を登録可能な状態にしておく。
図２に示すように、例えば、出力軸４の回転可能範囲が６０°＝±３０°であり、１０°ごとに区分けする場合、「−３０°、−２０°、−１０°、０°、１０°、２０°、３０°」とに区分けされる。
【００３５】
なおここで、便宜的に、順に「区分け１（−３０°）、区分け２（−２０°）、区分け３（−１０°）、区分け４（０°）、区分け５（１０°）、区分け６（２０°）、区分け７（３０°）」とする。
この区分けを、３個全てのアクチュエータＭ３において行っておく。
（Ｓ２）：３個のアクチュエータＭ３のうち、２番目のアクチュエータＭ２を基準とする。
【００３６】
アクチュエータ３が３個搭載されている場合、中央のもの（真ん中の２番目のアクチュエータＭ２）とすることが望ましい。
（Ｓ３）：（Ｓ１）で区分けしたもののうち一つの区分けにおいて、基準のアクチュエータＭ２に対して、出力軸４の角度を任意の位置に制御する指令値θを入力する。
例えば、基準のアクチュエータＭ２の「区分け５」において、出力軸４の角度を１０°の位置に固定する指令値θを入力する。すなわち、「区分け５」で、指令値θ＝１０°を基準のアクチュエータＭ２に入力する。
【００３７】
（Ｓ４）:（Ｓ３）で入力した指令値θを、基準の角度とする。
例えば、基準のアクチュエータＭ２の「区分け５」においては、指令値θ＝１０°が基準の角度となる。
（Ｓ５）：複数搭載されているアクチュエータＭ３のうち、１番目のアクチュエータＭ１を同期対象とする。その後、アクチュエータＭ１の補正値αを求め、合わせて、アクチュエータＭ３の補正値αを求めることとしている。
【００３８】
（Ｓ６）：アクチュエータＭ２とアクチュエータＭ１に対して、（Ｓ４）で決定した指令値θを入力して駆動させる。
（Ｓ４）で決定した指令値θ＝１０°を入力して、アクチュエータＭ２とアクチュエータＭ１を駆動させる。
（Ｓ７）：指令値θを入力した後に、アクチュエータＭ２とアクチュエータＭ１が互いに牽制し合い、アクチュエータＭ２とアクチュエータＭ１に供給される電流値Ａが増加した場合、入力した基準の指令値θに対して、指令値（θ＋ｘ）と指令値（θ−ｘ）をアクチュエータＭ１に入力し、指令値θ’＝（θ±ｘ）の範囲で連続的に駆動させる。
【００３９】
なお、基準のアクチュエータＭ２には、指令値θが入力されたままである。
例えば、アクチュエータＭ１に対し、１２°〜８°（（θ＋ｘ）〜（θ−ｘ））の範囲で駆動する指令値θ’を入力し、その範囲でアクチュエータＭ１を駆動させる。すなわち、指令値θ’＝（θ±ｘ）＝１０°±２°の範囲で、エルロン２を揺動させる。
（Ｓ８）：（Ｓ７）で指令値θ’＝（θ±ｘ）の範囲内で駆動しているとき、アクチュエータＭ２とアクチュエータＭ１に流れる電流値Ａを測定し、アクチュエータＭ２とアクチュエータＭ１の牽制が最小となるときの電流値の最小値Ａｍｉｎを探索する。
【００４０】
アクチュエータＭ２とアクチュエータＭ１が互いに牽制し合うと、電流値Ａが増加することとなり、アクチュエータＭ２とアクチュエータＭ１が焼損するおそれがあるので、牽制し合わない電流値の最小値Ａｍｉｎを探す。
その後、電流値の最小値Ａｍｉｎを探索するまで、（Ｓ７）の指令値θ’＝（θ±ｘ）の入力と（Ｓ８）の電流値Ａの測定を繰り返す。
【００４１】
つまり、入力する指令値θ’＝（θ±ｘ）を入れ替えて、エルロン２を指令値θ’の範囲内で揺動させて、アクチュエータＭ２とアクチュエータＭ１の牽制が最小となるときの電流値の最小値Ａｍｉｎが見つかるまで探し出す。
（Ｓ９）：（Ｓ８）で探索した電流値の最小値Ａｍｉｎにおける指令値（θ＋ｙ）と、基準の指令値θとの差分ｙを求める。その差分ｙを、基準であるアクチュエータＭ２の駆動と同調するためのアクチュエータＭ１の補正値α２１とする。ただし、ｙ≧ｘである。
【００４２】
例えば、（Ｓ８）において、電流値の最小値Ａｍｉｎを探し出したときの指令値（θ＋ｙ）が１１°であった場合、基準の指令値θ＝１０°であるので、その差分ｙ＝１１°−１０°＝１°と求まる。この値ｙ＝１°を補正値α２１とする。
（Ｓ１０）：（Ｓ９）で決定した補正値α２１をアクチュエータＭ１に記録する。すなわち、補正値α２１＝１°を「区分け５」における補正値として、アクチュエータＭ１に書き込む。つまり、補正値α２１を、指令値θ＝１０°に対する補正情報として、アクチュエータＭ１に登録する。
【００４３】
（Ｓ１１）: 同期対象のアクチュエータＭ１にて、所定の角度ごとに区分けをした全てにおいて、（Ｓ６）〜（Ｓ１０）の手順を実施して、それぞれの区分けにおける補正値α２１を求めて、アクチュエータＭ１に記録する。
補正値α２１に関し、（Ｓ６）〜（Ｓ１０）の手順に従って、アクチュエータＭ１の「区分け１」〜「区分け７」の全てにおいて、それぞれに適した補正値α２１を求める。補正値α２１については、図２に示すようなグラフとなる。求めた補正値α２１を、区分けごとの補正情報として、アクチュエータＭ１に全て書き込む。
【００４４】
つまり、補正値α２１には、指令値θ＝−３０°に対する補正情報（「区分け１」）、指令値θ＝−２０°に対する補正情報（「区分け２」）、指令値θ＝−１０°に対する補正情報（「区分け３」）、指令値θ＝０°に対する補正情報（「区分け４」）、指令値θ＝１０°に対する補正情報（「区分け５」）、指令値θ＝２０°に対する補正情報（「区分け６」）、指令値θ＝３０°に対する補正情報（「区分け７」）が含まれていて、アクチュエータＭ１に登録されている。
【００４５】
ここで、アクチュエータＭ２とアクチュエータＭ１の接続を解除するようにしてもよい。
（Ｓ１２）：（Ｓ５）に戻って、アクチュエータＭ３から、同期対象となるアクチュエータＭを新たに選び出して、（Ｓ１１）までの手順を、同期対象となる全てのアクチュエータＭ３に対して実施して、補正値α２３を所定の角度ごとに区分けをした全てにおいて求めて、アクチュエータＭ３のそれぞれに記録する。
【００４６】
（Ｓ５）に戻って、例えば、残りのアクチュエータＭ３を同期対象として新たに選び出す。（Ｓ６）〜（Ｓ１１）までの手順に従って、基準であるアクチュエータＭ２の駆動と同調するためのアクチュエータＭ３の補正値α２３を求める。補正値α２３を「区分け１」〜「区分け７」ごとに求める。求めた補正値α２３を、区分けごとの補正情報として、アクチュエータＭ３に全て書き込む。
【００４７】
また、補正値α２３には、補正値α２１と同様に、指令値θ＝−３０°に対する補正情報（「区分け１」）、指令値θ＝−２０°に対する補正情報（「区分け２」）、指令値θ＝−１０°に対する補正情報（「区分け３」）、指令値θ＝０°に対する補正情報（「区分け４」）、指令値θ＝１０°に対する補正情報（「区分け５」）、指令値θ＝２０°に対する補正情報（「区分け６」）、指令値θ＝３０°に対する補正情報（「区分け７」）が含まれていて、アクチュエータＭ３に登録されている。
【００４８】
ここで、表１に、５個のアクチュエータＭ５の場合を示す。基準のアクチュエータ３をＭ３とし、同期対象のアクチュエータ３をＭ１、Ｍ２、Ｍ４、Ｍ５とする。
表１に示すように、補正値αにおいては、例えば、基準のアクチュエータＭ３に対するアクチュエータＭ１のα３１に関し、区分けした全て（「区分け１」〜「区分け７」）の補正情報を有している。
【００４９】
すなわち、アクチュエータＭ１には、補正値α３１に関し、指令値θ＝−３０°に対する補正値α３１、指令値θ＝−２０°に対する補正値α３１、指令値θ＝−１０°に対する補正値α３１、・・・、指令値θ＝１０°に対する補正値α３１、指令値θ＝２０°に対する補正値α３１、指令値θ＝３０°に対する補正値α３１が補正情報として登録されている。
【００５０】
【表１】
2020108705.tif 000003
【００５１】
なお、アクチュエータＭ２、アクチュエータＭ４、アクチュエータＭ５についても、アクチュエータＭ１と同様に、区分けした全ての補正情報が登録されている。
以上のように、区分けした全ての補正値αが予め登録されたアクチュエータ３は、任意（所定の区分け）の指令値θが入力されると、その指令値θに対応する補正値αにより、エルロン２は指令値θに沿った動作を行う。
【００５２】
ところで、本発明の同期方法については、ステップ（Ｓ１）〜（Ｓ１２）までの全ての工程を自動化することが可能となっている。例えば、機体に着脱可能なテストツール１１（制御装置）に本発明の機能を実装し、自動的に実行されるものとしてもよい。
また、従属すベきアクチュエータ３が複数の場合、基準となるアクチュエータ３に対して、近くに搭載されているアクチュエータ３から、順に補正作業を行うことが望ましい。その際、補正作業が済んでいないアクチュエータ３については、配線（信号線８・電源線７）を取り外しておく必要がある。一方、補正作業が済んだアクチュエータ３については、残りのアクチュエータ３を補正する際、接続したままでもよい。
【００５３】
また、基準となるアクチュエータ３に関して、２個搭載されている場合はいずれか一方とし、３個搭載されている場合は中央のもの（真ん中の２番目）とすることが望ましい。また、４個搭載されている場合、できる限り中央（中央の２番目又は３番目）のアクチュエータ３を基準にすることが望ましい。
本発明によれば、複数のアクチュエータ３（サーボモータ）を制御するにあたり、入力された指令値θに沿った駆動にならないアクチュエータ３に対して、補正値αを与えておき、指令値θが入力されると補正値αにより指令値θに沿った駆動を出力することで、エルロン２などの可動する翼（同一動翼）の動きを精確に制御することができる。
【００５４】
なお、本発明は、上で詳説した模型飛行機の動翼だけでなく、例えば、模型自動車（ラジオコントロールカー）のステアリングなどを制御する場合においても適用可能である。また、本発明は、無線通信おける同期方法について述べたが、無線通信だけでなく有線通信でのコントロールにおいても有用である。
ただし、今回開示された実施形態はすべての点で例示であって制限的なものではないと考えられるべきである。
【００５５】
特に、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【符号の説明】
【００５６】
１  主翼
２  エルロン
３  アクチュエータ（サーボモータ）
４  出力軸
５  サーボホーン
６  リンゲージ部材
７  電源線
８  信号線
９  電流計
１０  制御部
１１  制御装置（テストツール）
【図１】
2020108705.tif 000004
【図２】
2020108705.tif 000005